(57)【要約】
【課題】  人力の及ばない密閉空間の消毒ができ、且つ、人力の省力化を実現すると共に、消毒媒体の交換が随時行うことができ、更に、均一に消毒媒体をスプレーして機構物と非機構物との間に適用できる自動消毒及び虫と鼠の駆除装置を得る。
【解決手段】  消毒媒体を貯蔵及び供給する供給器１と、該供給器１と連結して消毒媒体を輸送するための輸送器２と、使用空間内に配設し、スプレーノズルとジョイントを具備しているスプレーヤー３と、前記供給器１と前記輸送器２及び前記スプレーヤー３のジョイント間を連結して消毒媒体を輸送するのに供する連結管４とから成り、之等各部品の組合せによって均一に消毒媒体をスプレーすることができ、且つ、人力の及ばない空間を消毒し、害虫と病菌の繁殖を減少し、人力の省力化ができる自動消毒及び虫と鼠の駆除装置を提供する。
【選択図】図２
0003101452.tif 000002
【実用新案登録請求の範囲】
【請求項１】
自動消毒及び虫と鼠の駆除設備であって、該駆除設備は消毒媒体の貯蔵と供給を為す供給器と、上記供給器に連結され、且つ、前記消毒媒体を輸送するための輸送器と、スプレーノズルとジョイントとから成り、且つ、空間に前記消毒媒体をスプレーするためのスプレーヤーと、前記供給器と前記輸送器及び前記スプレーヤーのジョイント間を連結し、且つ、前記消毒媒体を輸送することができる連結管とから成り、之等各部品の組合せによって均一に消毒媒体をスプレーして、人力の及ばない使用空間を消毒し、害虫と病菌の繁殖を減少させるように構成されたことを特徴とする自動消毒及び虫と鼠の駆除装置。
【請求項２】
上記使用空間は高架床板の下方と、地面又は下部天井板の上方及び側壁とによって囲まれて成る請求項１記載の自動消毒及び虫と鼠の駆除装置。
【請求項３】
上記スプレーヤーは支持架台に取り付けられて成る請求項１記載の自動消毒及び虫と鼠の駆除装置。
【考案の詳細な説明】
【技術分野】
【０００１】
本考案は、機構物と非機構物との間の空間であって、特に、人力の及ばない空間を有効的に消毒媒体を均一にスプレーして、害虫と病菌の繁殖を減少し、虫と鼠を駆除することができて、人力を省力化することができ、且つ、消毒媒体を随時に交換することができる機構物と非機構物との間に応用できる自動消毒及び虫と鼠の駆除設備に関する。
【背景技術】
【０００２】
出願人が知り得る限り、本考案に関連する従来技術は次の通りである。即ち、一般にＯＡオフィスとコンピュータールーム内には常に幾多の非機構物（例えば天井板、高架床板等）を利用して、多数のコンピューターの接続線、電気用品の電線とその他の配管を隠すようにしている。此種の非機構物は各種ビジネスビルディングのオフィスとコンピュータールームに普遍的に使用されている。その利点は、１：高負荷の性質を具有し、重荷重物を支えることができる。２：室内装飾に適合することができる上、図案の様式が多変化できる。３：電線の配管を隠すことができて、環境の美観を増加することができる。４：破損した時、取り換えが容易である。
【０００３】
この為、非機構物と機構物との間には配管を格納して外部から見えないようにする空間が設けられている。然しながら容易に塵埃が発生して堆積する。又、オフィスには多数の事務卓と書棚等の移動困難な家具類等を有している。このような環境の空間は清掃して清潔にすることが困難である。よって、鼠やゴキブリ等の害虫と各種病菌が繁殖する温床となるのである。
【０００４】
従来の消毒方式は人力を使用して、非機構物と機構物との間の空間内に樟脳丸、殺虫剤等の薬剤を放置する方法を採択している。但し、このような方法は家具類の設置等に基因して容易に部分的空間が消毒できないことがある。又、人力を使用して消毒することは相当な時間と労力を費やすばかりでなく、定期的に施行することが困難であり、且つ、消毒効果が悪く、部分的空間は消毒の死角を形成するのである。
【０００５】
斯くの如く、非機構物には幾多の利点を有しているけれども、消毒が困難なため却って使用者に困惑をもたらす。このような欠陥に鑑みて本考案者は苦思探索の上、積極的に研究に務め、実験を重ねて遂に本考案を完成したのである。
【考案の開示】
【考案が解決しようとする課題】
【０００６】
本考案が人力の及ばない密閉空間の消毒ができ、且つ、人力の省力化を実現すると共に、消毒媒体の交換が随時行うことができ、更に、均一に消毒媒体をスプレーすることができる機構物と非機構物との間に適用できる自動消毒及び虫と鼠の駆除装置を得るために解決せられるべき技術的課題が生じてくるのであり、本考案は該課題を解決することを目的とする。
【課題を解決するための手段】
【０００７】
本考案は前記目的を達成するために提案されたものであり、消毒媒体を貯蔵及び供給する供給器と、該供給器と連結して消毒媒体を輸送するための輸送器と、使用空間内に配設し、スプレーノズルとジョイントを具備しているスプレーヤーと、前記供給器と前記輸送器及び前記スプレーヤーのジョイント間を連結して消毒媒体を輸送するのに供する連結管とから成り、之等各部品の組合せによって均一に消毒媒体をスプレーすることができ、且つ、人力の及ばない空間を消毒し、害虫と病菌の繁殖を減少し、人力の省力化ができる自動消毒及び虫と鼠の駆除装置を提供するものである。
【考案の効果】
【０００８】
本考案の機構物と非機構物との間に適用でき、特に、各種建築機構物と非機構物との間に適用し、人力の及ばない空間をコンピューターのコントロールによつて、自動的に定時定量に消毒媒体をスプレーして、空間内に消毒媒体を満たして、害虫と細菌の繁殖を減少し、虫と鼠等の駆除ができる効果を奏するのである。
【考案を実施するための最良の形態】
【０００９】
均一に消毒媒体をスプレーすることにより、人力の及ばない空間を消毒して害虫と病菌の繁殖を減少せしめるようにし、且つ、最小の部品点数で自動消毒及び虫と鼠の駆除を実現した。
【実施例】
【００１０】
本考案は機構物と非機構物との間に適用できる自動消毒及び虫と鼠の駆除装置であって、供給器１、輸送器２、スプレーヤー３と連結管４で構成されている。本考案の効果は有効的に人力の及ばない空間を消毒し、害虫と細菌の繁殖を減少することができる所にある。以下、本考案を図に従って詳述する。
【００１１】
図１乃至図４に示す如く、本考案は消毒媒体の貯蔵と供給に供する供給器１と、該供給器１に配管にて連結され、且つ、消毒媒体を輸送するための輸送器２と、スプレーノズル３１とジョイント３２を有し、内部に横通路３３と直通路３４が設けられていて、前記スプレーノズル３１と前記ジョイント３２とを連通できるように構成されているスプレーヤー３と、前記供給器１、前記輸送器２と前記ジョイント３２の間を連結して、消毒媒体を輸送する連結管４とから成る。
【００１２】
而して、消毒媒体が気体（例えばオゾン、塩素等）である時、前記輸送器２は前記供給器１内の消毒媒体を連結管４を通して前記各スプレーヤー３に輸送し、前記スプレーヤー３のスプレーノズル３１より噴出して、消毒媒体を前記高架床板５と地面５１との間の空間を満たして消毒の効果を達成するのである。
【００１３】
前記消毒媒体が液体（例えば消毒水、アルコール等）である時、前記供給器１の内部に更に薬剤槽１１、供給部品１３と貯蔵槽１５を増設することができる。前記薬剤槽１１は消毒媒体を貯蔵するのに用いるもので、前記貯蔵槽１５と連結されている。前記供給部品１３は水を供給して消毒媒体を稀釈するのに供するもので、前記貯蔵槽１５と連結されている。前記貯蔵槽１５は稀釈後の消毒媒体を貯蔵及び放出するのに用いるもので、前記輸送器２と連結されている。
【００１４】
その中、前記薬剤槽１１、前記供給部品１３と前記貯蔵槽１５は共に電磁バルブ１２が設置されている。前記電磁バルブ１２が開く時間の長短はコンピュータ（図示せず）によってコントロールしている。故に、精確な配合で正確な比例の消毒媒体を生成することができる。前記貯蔵槽１５の中には混合器１６が設けられていて、モーター１６１及び攪拌器１６２で組成されていて前記消毒媒体と水を迅速に混合することができるように構成されている。
【００１５】
消毒時、消毒媒体と水は前記貯蔵槽１５に流入し、混合した後、前記輸送器２から前記連結管４を経て前記各スプレーヤー３に送り、前記スプレーノズル３１から噴出するのである。
【００１６】
この外、前記輸送器２と前記各スプレーヤー３との間には電磁バルブ２１が設けられている。該電磁バルブ２１はコンピュータ（図示せず）によってコントロールされていて、使用者の需要に応じて、分別して前記各電磁バルブ２１の開閉をコントロールし、そして、区域別に消毒するように構成されている。
【００１７】
図５及び図６に示す如く、前記高架床板５は一定の形状と大きさを有している。又、各支持架台５２は所定間隔を有して固定されており、前記スプレーヤー３は前記支持架台５２に設置することができる。これによって消毒媒体は均一に使用空間内をスプレーすることができる。
【００１８】
本考案の利点：
１．非機構物に設置する時、直ちに前記連結管４と前記スプレーヤー３とを架設することができるので、人力と施工時間とを可及的に低減することができる。
【００１９】
２．前記連結管４と前記スプレーヤー３の架設位置は弾性を有しているので、空間の大小と密閉であるか否かの制限を受けることがない。
【００２０】
３．特別の保守を必要としないので、人力の節減をすることができる。
【００２１】
４．随時消毒媒体を交換することができる。
【００２２】
５．有効的に鼠、ゴキブリと細菌等の病害虫の繁殖を防止することができる。
【００２３】
６．各電磁バルブとモーターは全部コンピュータによってコントロールされているので、定時定量の消毒をすることができて、消毒媒体の過多或いは過少による消毒効果が低減することはない。
【００２４】
斯くして、本考案は各種類の消毒媒体に適用することができる。よって、使用者の需要と使用環境の制限によって不同種類の消毒媒体を交換して、最良の消毒効果を果たすことができる。更に、本考案は機構物と非機構物間の近似密閉空間と特有の設備機構を利用して自動消毒と人力の節減の目的を達成することができる。依って、有効的に人力の及ばない空間を消毒することができて、害虫と病菌の繁殖を減少することができる。
【００２５】
図３乃至図４に示す如く、前記スプレーヤー３の内部には横通路３３及び直通路３４が設けられている。よって消毒媒体は前記横通路３３を経て前記直通路３４に流入することができる。更に、前記スプレーノズル３１を経て周囲に対して消毒媒体をスプレーするのである。
【００２６】
図７は本考案の第二実施例を示し、前記スプレーヤー３に穴３５が設けられている。これは使用空間内に前記支持架台５２がない時、ネジ３６を前記穴３５に挿通して、前記スプレーヤー３を直接地面５１或いは壁５３に締着して固定することができる。この取り付け方法は前記スプレーノズル３１の数量を増やすことができる上、前記スプレーノズル３１を任意角度に設置することができるので、全ての空間に消毒媒体をスプレーすることができて消毒の死角が発生しない効果を奏するのである。
【００２７】
以上、要するに、斯くして、本考案はコンピュータによってコントロールすることができ、且つ、前記スプレーノズル３１は地面５１、支持架台５２と壁５３、使用空間内に分布して設けることができるので、定時定量で消毒媒体を均一にスプレーすることができる。
【００２８】
尚、本考案は、本考案の精神を逸脱しない限り種々の改変を為すことができ、そして、本考案が該改変されたものに及ぶことは当然である。
【図面の簡単な説明】
【００２９】
【図１】本考案の設備配置図。
【図２】本考案の設備配置の解説側面図。
【図３】本考案のスプレーヤーの斜視図。
【図４】本考案のスプレーヤーの縦断面図。
【図５】本考案のスプレーヤーを支持架台に設置したときの側面図。
【図６】本考案の図５の６−６線断面図。
【図７】本考案の第二の実施例を示し、その解説側面図。
【符号の説明】
【００３０】
１        供給器
２        輸送器
３        スプレーヤー
４        連結管
５        高架床板
１１        薬剤槽
１２，２１  電磁バルブ
１３        供給部品
１５        貯蔵槽
３１        スプレーノズル
３２        ジョイント
３３        横通路
３４        直通路
３５        穴
３６        ネジ
５１        地面
５２        支持架台
５３        壁
１６１        モーター
１６２        攪拌器
【図１】
0003101452.tif 000003
【図２】
0003101452.tif 000004
【図３】
0003101452.tif 000005
【図４】
0003101452.tif 000006
【図５】
0003101452.tif 000007
【図６】
0003101452.tif 000008
【図７】
0003101452.tif 000009